(57)【要約】      （修正有）【課題】広告効果を把握することができるネットワークシステム及びコンテンツ配信方法を提供する。【解決手段】ネットワークシステム１が、携帯端末装置３０の利用者が乗車する車両１０と、情報を転送する転送サーバ１００と、コンテンツを配信する配信サーバ４０とを含む。携帯端末装置３０と非接触通信を行うことで転送サーバ１００にアクセスするためのアクセス情報を携帯端末装置３０に送信する非接触通信装置２１ａ、２１ｂが車両１０に設けられる。携帯端末装置３０は、非接触通信装置２１ａ、２１ｂから受信したアクセス情報を用いて、転送サーバ１００にアクセスする。転送サーバ１００は、配信サーバ４０によって配信されるコンテンツに携帯端末装置３０をアクセスさせる。【選択図】図１
2012141786.tif 000002
【特許請求の範囲】
【請求項１】
携帯端末装置の利用者が乗車する車両と、情報を転送する転送サーバと、コンテンツを配信する配信サーバとを含むネットワークシステムであって、
前記車両は、
前記携帯端末装置と非接触通信を行うことで前記転送サーバにアクセスするためのアクセス情報を該携帯端末装置に送信する非接触通信装置が乗車中の利用者近傍に設けられ、
前記携帯端末装置は、
前記非接触通信装置から受信したアクセス情報を用いて、前記転送サーバにアクセスする通信部を有し、
前記転送サーバは、
前記非接触通信装置によって送信されるアクセス情報と、前記配信サーバによって配信されるコンテンツの所在を示す所在情報とを対応付けて記憶する所在情報記憶部と、
前記携帯端末装置の通信部によって用いられたアクセス情報に対応する所在情報を前記所在情報記憶部から取得し、取得した所在情報が示すコンテンツに該携帯端末装置をアクセスさせるアクセス制御部と
を有することを特徴とするネットワークシステム。
【請求項２】
前記車両は、
前記非接触通信装置が複数設けられ、
前記非接触通信装置は、
非接触通信装置毎に割り当てられる割当情報を含むアクセス情報を前記携帯端末装置に送信し、
前記転送サーバの所在情報記憶部は、
前記割当情報を含むアクセス情報と前記所在情報とを対応付けて記憶する
ことを特徴とする請求項１に記載のネットワークシステム。
【請求項３】
前記転送サーバは、
前記配信サーバによって配信されるコンテンツに前記アクセス制御部が前記携帯端末装置をアクセスさせるアクセス制御の履歴情報を記憶するアクセス履歴記憶部と、
前記アクセス履歴記憶部に記憶されている履歴情報に基づいて、前記所在情報毎に、該所在情報が示すコンテンツに前記携帯端末装置がアクセスしたアクセス数を計数する計数部と
をさらに有することを特徴とする請求項２に記載のネットワークシステム。
【請求項４】
前記アクセス履歴記憶部は、
前記アクセス制御部が前記携帯端末装置をアクセスさせたコンテンツの所在情報に対応付けて、該携帯端末装置の通信部が前記転送サーバにアクセスしたアクセス時刻、該携帯端末装置を識別するための端末識別子、該携帯端末装置の利用者に関する利用者情報、前記アクセス情報を送信した非接触通信装置が前記車両に設けられている位置を示す位置情報の少なくとも１以上を記憶し、
前記計数部は、
前記アクセス履歴記憶部に記憶されているアクセス時刻、端末識別子、利用者情報、位置情報の少なくとも１以上の項目毎に、前記アクセス数を計数する
ことを特徴とする請求項３に記載のネットワークシステム。
【請求項５】
前記転送サーバは、
前記携帯端末装置による当該転送サーバへのアクセスに関係する情報である属性情報に対応付けて、該携帯端末装置に優先的にアクセスさせるコンテンツの所在情報である優先所在情報を記憶する優先情報記憶部をさらに有し、
前記アクセス制御部は、
前記携帯端末装置の通信部から当該転送サーバへのアクセスが行われた場合に、該アクセスに関係する属性情報に対応する優先所在情報を前記優先情報記憶部から取得し、取得した優先所在情報が示すコンテンツに該携帯端末装置をアクセスさせる
ことを特徴とする請求項１〜４のいずれか一つに記載のネットワークシステム。
【請求項６】
前記優先情報記憶部は、
前記携帯端末装置の通信部が前記転送サーバにアクセスするアクセス時刻、前記転送サーバにアクセスする携帯端末装置を識別するための端末識別子、前記転送サーバにアクセスする携帯端末装置の利用者に関する利用者情報、前記アクセス情報を送信した非接触通信装置が前記車両に設けられている位置を示す位置情報の少なくとも１以上の情報に対応付けて、前記優先所在情報を記憶し、
前記アクセス制御部は、
前記携帯端末装置の通信部からアクセスされた場合に、該通信部からアクセスされたアクセス時刻、該携帯端末装置の端末識別子、該携帯端末装置の利用者に関する利用者情報、該通信部が用いたアクセス情報を送信した非接触通信装置の位置情報に対応する優先所在情報を前記優先情報記憶部から取得し、取得した優先所在情報が示すコンテンツに該携帯端末装置をアクセスさせる
ことを特徴とする請求項５に記載のネットワークシステム。
【請求項７】
前記転送サーバは、
前記所在情報に対応付けて、該所在情報が示すコンテンツにアクセスする携帯端末装置の利用者の傾向を示す傾向情報を記憶する傾向情報記憶部と、
前記アクセス制御部によって前記携帯端末装置がアクセス制御されたコンテンツの所在情報に対応する傾向情報を前記傾向情報記憶部から取得し、取得した傾向情報に基づいて、該携帯端末装置の利用者に関する利用者情報を推定する推定部と
をさらに有することを特徴とする請求項１〜６のいずれか一つに記載のネットワークシステム。
【請求項８】
前記非接触通信装置の近傍に設けられた表示装置に、該非接触通信装置から送信されるアクセス情報により前記携帯端末装置がアクセスするコンテンツに関するコンテンツ情報を表示制御するコンテンツ表示制御装置
をさらに有することを特徴とする請求項１〜７のいずれか一つに記載のネットワークシステム。
【請求項９】
前記転送サーバは、
前記非接触通信装置によって送信されるアクセス情報に対応付けて前記アクセス情報記憶部に記憶されている所在情報を、前記コンテンツ表示制御装置によって前記表示装置に表示制御されるコンテンツ情報に対応するコンテンツの所在情報に更新する更新部
をさらに有することを特徴とする請求項８に記載のネットワークシステム。
【請求項１０】
前記非接触通信装置は、
交通機関の車内に配置された吊り革の吊り紐を覆う第１ケースの内部にアンテナが設けられ、
前記吊り紐を覆う第２ケースの内部に、前記アクセス情報を送信する通信回路と、該通信回路に電力を供給する電力供給部とが設けられる
ことを特徴とする請求項１〜９のいずれか一つに記載のネットワークシステム。
【請求項１１】
前記非接触通信装置は、
交通機関の車内に配置された吊り革の持ち手部の内部にアンテナが設けられ、
前記吊り革の吊り紐を覆うケースの内部に、前記アクセス情報を送信する通信回路と、該通信回路に電力を供給する電力供給部とが設けられる
ことを特徴とする請求項１〜９のいずれか一つに記載のネットワークシステム。
【請求項１２】
携帯端末装置の利用者が乗車する車両と、情報を転送する転送サーバと、コンテンツを配信する配信サーバとを含むネットワークシステムにおけるコンテンツ配信方法であって、
前記車両に乗車中の利用者近傍に設けられた非接触通信装置が、
前記携帯端末装置と非接触通信を行うことで前記転送サーバにアクセスするためのアクセス情報を該携帯端末装置に送信する送信ステップを含み、
前記携帯端末装置が、
前記送信ステップにおいて送信されたアクセス情報を用いて、前記転送サーバにアクセスする通信ステップを含み、
前記転送サーバが、
前記非接触通信装置によって送信されるアクセス情報と、前記配信サーバによって配信されるコンテンツの所在を示す所在情報とを対応付けて記憶する所在情報記憶部から、前記通信ステップにおいて用いられたアクセス情報に対応する所在情報を取得し、取得した所在情報が示すコンテンツに該携帯端末装置をアクセスさせるアクセス制御ステップ
を含むことを特徴とするコンテンツ配信方法。
【発明の詳細な説明】
【技術分野】
【０００１】
本発明は、ネットワークシステム及びコンテンツ配信方法に関する。
【背景技術】
【０００２】
従来、電車、バス、タクシー又は船舶等の交通機関における客室内には、多くの広告が掲載されている。例えば、電車の場合には、車両内の壁や吊り革の吊り紐部分に広告が掲載されることがある。また、車両の天井から吊るされる中吊り広告と呼ばれる広告媒体が用いられることも多い。このような電車等の交通機関は、多くの人に利用されるので、広告主にとっては、電車の車両内に広告を掲載することで、高い広告効果を得ることができると考えられる。
【先行技術文献】
【特許文献】
【０００３】
【特許文献１】特開２０１０−０５２５７２号公報
【特許文献２】特開２０１０−２７１４６７号公報
【特許文献３】特開２００７−２９３０４９号公報
【発明の概要】
【発明が解決しようとする課題】
【０００４】
しかしながら、交通機関の車両内に広告を掲載する従来手法では、広告効果を把握することができないことが多い。具体的には、上記の従来手法では、車両内に広告を掲載しているだけであるので、乗客が広告を見ているか否かを把握することができない。乗客数によって広告効果を推定することも考えられるが、乗客数の多い交通機関に広告を掲載した場合であっても、多くの乗客に広告が見られているとは限らない。すなわち、乗客数から広告効果を推定しても、広告効果を正確に把握することはできない。
【０００５】
一般的に、広告主にとっては、いかにして広告効果を高めるかということが重要な課題となっている。このため、交通機関に広告を掲載している広告主には、広告の効果を把握したいというニーズが存在するが、上記の従来手法では、広告効果を正確に把握することができない。
【０００６】
本発明は、上記に鑑みてなされたものであって、広告効果を把握することができるネットワークシステム及びコンテンツ配信方法を提供することを目的とする。
【課題を解決するための手段】
【０００７】
本発明に係るネットワークシステムは、一つの態様において、携帯端末装置の利用者が乗車する車両と、情報を転送する転送サーバと、コンテンツを配信する配信サーバとを含むネットワークシステムであって、前記車両は、前記携帯端末装置と非接触通信を行うことで前記転送サーバにアクセスするためのアクセス情報を該携帯端末装置に送信する非接触通信装置が乗車中の利用者近傍に設けられ、前記携帯端末装置は、前記非接触通信装置から受信したアクセス情報を用いて、前記転送サーバにアクセスする通信部を有し、前記転送サーバは、前記非接触通信装置によって送信されるアクセス情報と、前記配信サーバによって配信されるコンテンツの所在を示す所在情報とを対応付けて記憶する所在情報記憶部と、前記携帯端末装置の通信部によって用いられたアクセス情報に対応する所在情報を前記所在情報記憶部から取得し、取得した所在情報が示すコンテンツに該携帯端末装置をアクセスさせるアクセス制御部とを有することを特徴とする。
【発明の効果】
【０００８】
本発明に係るネットワークシステム及びコンテンツ配信方法の一つの態様によれば、広告効果を把握することができるという効果を奏する。
【図面の簡単な説明】
【０００９】
【図１】図１は、実施例１に係るネットワークシステムの構成例を示す図である。
【図２】図２は、実施例１における車両の構成例を示す図である。
【図３】図３は、実施例１における吊り革の平面図である。
【図４】図４は、図３のＩ−Ｉ線における断面を模式的に示す図である。
【図５】図５は、実施例１における転送サーバの構成例を示すブロック図である。
【図６】図６は、実施例１における所在情報記憶部の一例を示す図である。
【図７】図７は、実施例１におけるネットワークシステムに含まれる各装置及び各サーバ間の処理シーケンスを示す図である。
【図８】図８は、実施例２における転送サーバの構成例を示すブロック図である。
【図９】図９は、実施例２におけるアクセス履歴記憶部の一例を示す図である。
【図１０】図１０は、実施例２における利用者情報記憶部の一例を示す図である。
【図１１】図１１は、実施例２における位置情報記憶部の一例を示す図である。
【図１２】図１２は、実施例２におけるアクセス数記憶部の一例を示す図である。
【図１３】図１３は、実施例３における転送サーバの構成例を示すブロック図である。
【図１４】図１４は、実施例３における所在情報記憶部の一例を示す図である。
【図１５】図１５は、実施例３における優先情報記憶部の一例を示す図である。
【図１６】図１６は、実施例３におけるアクセス制御部による処理手順を示すフローチャートである。
【図１７】図１７は、実施例４における転送サーバの構成例を示すブロック図である。
【図１８】図１８は、実施例４における傾向情報記憶部の一例を示す図である。
【図１９】図１９は、実施例４における推定部による処理手順を示すフローチャートである。
【図２０】図２０は、実施例５に係るネットワークシステムの構成例を示す図である。
【図２１】図２１は、実施例５における吊り革の平面図である。
【図２２】図２２は、実施例５におけるコンテンツ表示制御装置の構成例を示すブロック図である。
【図２３】図２３は、実施例５におけるコンテンツ情報記憶部の一例を示す図である。
【図２４】図２４は、実施例５における転送サーバの構成例を示すブロック図である。
【図２５】図２５は、実施例６における吊り革の平面図である。
【図２６】図２６は、図２５のＩＩ−ＩＩ線における断面を模式的に示す図である。
【図２７】図２７は、実施例６における吊り革の平面図である。
【図２８】図２８は、図２７のＩＩＩ−ＩＩＩ線における断面を模式的に示す図である。
【発明を実施するための形態】
【００１０】
以下に、本発明に係るネットワークシステム及びコンテンツ配信方法の実施例を図面に基づいて詳細に説明する。なお、この実施例により本発明に係るネットワークシステム及びコンテンツ配信方法が限定されるものではない。例えば、以下の実施例では、電車を例に挙げて本発明に係るネットワークシステム及びコンテンツ配信方法について説明するが、本発明は、電車以外のバスやタクシー等の交通機関にも適用することができる。
【実施例１】
【００１１】
［実施例１に係るネットワークシステムの構成例］
まず、図１を用いて、実施例１に係るネットワークシステムについて説明する。図１は、実施例１に係るネットワークシステム１の構成例を示す図である。図１に例示するように、実施例１に係るネットワークシステム１は、電車の車両１０と、配信サーバ４０と、転送サーバ１００とを含む。
【００１２】
なお、図１に示した例では、ネットワークシステム１に１台の配信サーバ４０が含まれる例を示したが、ネットワークシステム１には、２台以上の配信サーバが含まれてもよい。また、図１に示した例では、ネットワークシステム１に１台の転送サーバ１００が含まれる例を示したが、ネットワークシステム１には、２台以上の転送サーバが含まれてもよい。
【００１３】
車両１０は、公共交通機関等の電車を形成する車両である。図１に示した例では、車両１０は、乗車中の利用者近傍に、吊り革２０ａ及び２０ｂが備えられる。吊り革２０ａは、非接触通信装置２１ａが設けられ、吊り革２０ｂは、非接触通信装置２１ｂが設けられる。非接触通信装置２１ａ及び２１ｂは、例えば、Ｆｅｌｉｃａ（登録商標）やＭＩＦＡＲＥ（登録商標）、もしくはこれらと下位互換性があるＮＦＣ（Near  Field  Communication）等に基づく非接触通信（「近距離無線通信」とも呼ばれる）を行う。
【００１４】
なお、非接触通信装置２１ａ又は２１ｂが設けられる吊り革２０ａ及び２０ｂの構造については、後に詳述する。また、車両１０に備えられている吊り革２０ａ及び２０ｂ等は、同様の構成を有するので、以下では、吊り革２０ａ及び２０ｂ等を総称して「吊り革２０」と表記する場合がある。また、非接触通信装置２１ａ及び２１ｂについても、同様の構成を有するので、以下では、非接触通信装置２１ａ及び２１ｂ等を総称して「非接触通信装置２１」と表記する場合がある。
【００１５】
このような車両１０は、携帯端末装置３０を保持する利用者によって乗車されることがある。かかる携帯端末装置３０は、例えば、携帯電話機、小型情報処理端末、小型音楽再生装置、携帯テレビ、携帯型ゲーム機等であり、非接触通信を行う機能を有するものとする。
【００１６】
転送サーバ１００は、各種情報を転送する装置であり、例えば、ＨＴＴＰ（HyperText  Transfer  Protocol）リダイレクトを行う。配信サーバ４０は、各種コンテンツを配信する装置である。図１に示した例では、配信サーバ４０は、ＨＴＴＰ等によって、広告に関するコンテンツを配信するものとする。例えば、配信サーバ４０は、商品を写した画像データや商品の機能説明である文字データ等を含むコンテンツを配信したり、商品の購入又は予約を受け付けるショッピングサイト、販売店や飲食店等の商店を紹介する紹介サイト、コンサート等のイベントを告知する告知サイトを形成するＨＴＭＬであるコンテンツ等を配信する。なお、以下では、広告に関するコンテンツを単に「広告コンテンツ」と表記する場合がある。
【００１７】
このような構成の下、実施例１に係るネットワークシステム１では、車両１０に乗車する利用者の携帯端末装置３０と、吊り革２０に備えられた非接触通信装置２１とによって非接触通信が行われた場合に、配信サーバ４０が携帯端末装置３０に広告コンテンツを配信する。以下に、各装置及び各サーバにおける処理について具体的に説明する。
【００１８】
まず、吊り革２０に備えられている非接触通信装置２１は、自装置の近傍に位置する携帯端末装置３０と非接触通信を行うことで、転送サーバ１００にアクセスするためのアクセス情報を携帯端末装置３０に送信する。すなわち、車両１０に乗車する利用者が、自身の携帯端末装置３０を吊り革２０に近づけた場合に、携帯端末装置３０は、非接触通信装置２１からアクセス情報を受信する。なお、アクセス情報とは、例えば、転送サーバ１００が提供するウェブサイト（website）のＵＲＬ（Uniform  Resource  Locator）等である。
【００１９】
そして、携帯端末装置３０は、非接触通信装置２１からアクセス情報を受信した場合に、かかるアクセス情報を用いて、転送サーバ１００にアクセスする。例えば、携帯端末装置３０は、非接触通信装置２１から受信したアクセス情報を用いて、図示しない基地局等を介して、転送サーバ１００にアクセスする。なお、携帯端末装置３０は、基地局等を介して転送サーバ１００等にアクセスする通信部を有するものとする。
【００２０】
そして、転送サーバ１００は、携帯端末装置３０からアクセスされた場合に、配信サーバ４０によって配信される広告コンテンツに携帯端末装置３０がアクセスするようにＨＴＴＰリダイレクトを行う。これにより、携帯端末装置３０は、配信サーバ４０から広告コンテンツを受信し、受信した広告コンテンツを液晶ディスプレイ等の表示部に表示する。なお、転送サーバ１００は、ＨＴＴＰリダイレクトを行った場合に、リダイレクト先に関する情報等をログに記憶する。また、配信サーバ４０は、広告コンテンツにアクセスされた場合に、アクセスされたことをログに記憶する。
【００２１】
このように、実施例１に係るネットワークシステム１では、車両１０に乗車する利用者の携帯端末装置３０は、吊り革２０に備えられた非接触通信装置２１の近傍に位置する場合に、非接触通信装置２１からアクセス情報を受信することで、転送サーバ１００にアクセスする。そして、携帯端末装置３０は、転送サーバ１００によるＨＴＴＰリダイレクトによって、配信サーバ４０から広告コンテンツを受信し、かかる広告コンテンツを表示部に表示する。すなわち、車両１０に乗車する利用者は、携帯端末装置３０を吊り革２０に近づけるだけで、配信サーバ４０によって配信される広告コンテンツを閲覧することができる。そして、実施例１に係るネットワークシステム１では、転送サーバ１００や配信サーバ４０に保持されるログから広告コンテンツにアクセスされた回数を算出することができるので、広告主は、広告効果を正確に把握することができる。
【００２２】
また、実施例１に係るネットワークシステム１では、携帯端末装置３０の利用者は、車両１０の車両内で商品の購入等のアクションを取ることができる。例えば、配信サーバ４０がショッピングサイト等に関する広告コンテンツを携帯端末装置３０に配信する場合には、携帯端末装置３０の利用者は、車両１０の車両内でショッピングサイトから商品を購入することができる。
【００２３】
また、実施例１に係るネットワークシステム１では、車両１０の鉄道会社や、配信サーバ４０から携帯端末装置３０に配信する広告コンテンツを扱う広告代理店等は、広告主から広告料金を得ることができる。特に、アフィリエイト（affiliate）と呼ばれる広告手法を用いた場合には、携帯端末装置３０が配信サーバ４０から配信される広告コンテンツにアクセスするたびに、鉄道会社や広告代理店は、広告主から報酬を得ることができる。
【００２４】
また、実施例１に係るネットワークシステム１では、広告主は、アクセスされる回数の多い非接触通信装置２１から送信されるアクセス情報を、自身が提供する広告コンテンツにＨＴＴＰリダイレクトされるように、鉄道会社や広告代理店と契約することで、高い広告効果を得ることができる。
【００２５】
以上のように、実施例１に係るネットワークシステム１では、広告主は、広告効果を把握することができるとともに高い広告効果を得ることができ、利用者は、携帯端末装置３０を吊り革２０に近づけるだけで広告コンテンツを携帯端末装置３０の画面上で閲覧することができるとともに車両１０内でネットショッピング等を行うことができ、鉄道会社や広告代理店は、広告主から報酬を得ることができる。すなわち、実施例１に係るネットワークシステム１は、広告主、利用者、鉄道会社や広告代理店の三者にとってメリットがある。以下に、このようなネットワークシステム１について詳細に説明する。
【００２６】
［車両の構成例］
まず、図２を用いて、図１に示した車両１０について説明する。図２は、実施例１における車両１０の構成例を示す図である。なお、図２には、電車を形成する１台の車両１０を示すが、電車は、図２に例示する車両１０を１台以上有してもよい。
【００２７】
図２に例示するように、車両１０には、座席１１ａ〜１１ｈが設置され、ドア１２ａ〜１２ｆが設けられ、天井から吊り下げられる中吊り広告１３ａ〜１３ｆが設けられる。図２において、座席１１ａ〜１１ｈは、斜線が付された矩形に該当し、ドア１２ａ〜１２ｆは、斜線及び横線が付されていない矩形に該当し、中吊り広告１３ａ〜１３ｆは、横線が付された矩形に該当する。利用者は、ドア１２ａ〜１２ｆから車両１０に乗車した場合に、座席１１ａ〜１１ｈに座る場合がある。また、広告主は、中吊り広告１３ａ〜１３ｆに紙による各種広告を掲載することができる。
【００２８】
また、車両１０には、吊り革２０が設けられる。図２において、吊り革２０は、円形の図形に該当する。このような吊り革２０には、非接触通信装置２１が設置される。ここで、図３及び図４を用いて、吊り革２０の構造について説明する。図３は、実施例１における吊り革２０の平面図である。また、図４は、図３のＩ−Ｉ線における断面を模式的に示す図である。
【００２９】
図３に示すように、実施例１における吊り革２０は、持ち手部２２と、吊り紐２３と、カバー２４と、広告媒体２５とを含む。持ち手部２２は、車両１０に乗車する利用者の手によって握られる。例えば、持ち手部２２は、車両１０内において座席１１ａ〜１１ｈに座らずに立っている利用者の手によって握られる。吊り紐２３は、一端が車両１０の上部に備えられるパイプ等に固定され、他端が持ち手部２２に固定される。
【００３０】
カバー２４は、吊り紐２３を覆うプラスチック等の部材であり、内部に非接触通信装置２１を有する。広告媒体２５は、カバー２４上に貼付される紙による広告であり、広告主によって掲載される。図３では、広告媒体２５に、『サイトＡにアクセス  「タッチ」してください』といった広告が掲載されている例を示している。
【００３１】
また、図４に示すように、カバー２４は、凸状の前面カバー２４ａと、凸状の背面カバー２４ｂとが嵌合することにより、吊り紐２３を覆う。そして、前面カバー２４ａと背面カバー２４ｂとが嵌合することで形成されるカバー２４の内部空間には、吊り紐２３を覆うケース２６と、非接触通信装置２１とが含まれる。ケース２６は、従来の吊り革に一般的に設けられていることが多い。
【００３２】
非接触通信装置２１は、アンテナ２７と、通信回路２８と、電力供給部２９とを有する。アンテナ２７は、携帯端末装置３０との間で無線通信により各種情報を送受する。通信回路２８は、携帯端末装置３０との間で行われる無線通信を制御する。電力供給部２９は、通信回路２８に電力を供給する部位であり、交換可能な電池等である。例えば、前面カバー２４ａ及び背面カバー２４ｂは開閉可能であり、電力供給部２９は、前面カバー２４ａ及び背面カバー２４ｂは開状態である場合に、交換される。
【００３３】
このような非接触通信装置２１は、ネットワークシステム１の管理者等によって非接触通信装置毎に所定の情報が割り当てられる。例えば、非接触通信装置２１ａには「００１」が割り当てられ、非接触通信装置２１ｂには「００２」が割り当てられる。以下では、非接触通信装置２１に割り当てられる情報を「割当情報」と表記する。そして、非接触通信装置２１は、転送サーバ１００にアクセスするための情報として、割当情報を含むアクセス情報を保持する。そして、非接触通信装置２１の通信回路２８は、自装置の近傍に携帯端末装置３０が位置する場合に、かかる携帯端末装置３０に対して、割当情報を含むアクセス情報を送信する。
【００３４】
例えば、転送サーバ１００にアクセスするための情報が「ｈｔｔｐ：ＡＡＡ・・・」であり、非接触通信装置２１に割り当てられている割当情報が「００１」であるものとする。かかる場合に、非接触通信装置２１は、例えば、「ｈｔｔｐ：ＡＡＡ・・・００１」といったアクセス情報を保持し、自装置の近傍に位置する携帯端末装置３０に対して、アクセス情報「ｈｔｔｐ：ＡＡＡ・・・００１」を送信する。
【００３５】
ここで、広告主は、吊り革２０のカバー２４に内在する非接触通信装置２１と非接触通信を行うことで配信サーバ４０から携帯端末装置３０に提供される広告コンテンツに関するコンテンツ情報等を、図３及び図４に示した広告媒体２５に掲載してもよい。なお、コンテンツ情報とは、広告コンテンツを説明する文字や図形や写真や絵等である。
【００３６】
例えば、携帯端末装置３０が、吊り革２０のカバー２４に内在する非接触通信装置２１と非接触通信を行うことで「ショッピングサイトＡ」にアクセスできるものとする。かかる場合に、ショッピングサイトＡの広告主は、図３に例示したように、吊り革２０の広告媒体２５に、ショッピングサイトＡに関するコンテンツ情報や、カバー２４に携帯端末装置３０を近づけることを利用者に促す情報等を掲載してもよい。
【００３７】
同様に、広告主は、携帯端末装置３０に提供される広告コンテンツに関するコンテンツ情報等を、図２に例示した中吊り広告１３ａ〜１３ｆに掲載してもよい。例えば、広告主は、中吊り広告１３ａの近傍に位置する吊り革２０に内在する非接触通信装置２１と非接触通信を行うことで携帯端末装置３０に提供される広告コンテンツに関するコンテンツ情報等を、中吊り広告１３ａに掲載してもよい。同様に、広告主は、中吊り広告１３ｂの近傍に位置する吊り革２０に内在する非接触通信装置２１と非接触通信を行うことで携帯端末装置３０に提供される広告コンテンツに関する情報等を、中吊り広告１３ｂに掲載してもよい。
【００３８】
このように、携帯端末装置３０に提供される広告コンテンツに関するコンテンツ情報等を、吊り革２０の広告媒体２５や中吊り広告１３ａ〜１３ｆ等に掲載することで、利用者は、携帯端末装置３０を吊り革２０に近づけることで、どのような広告コンテンツを受信するかを認識することができる。このため、広告主は、利用者に対するサービスを向上させることができる。
【００３９】
［実施例１における転送サーバの構成例］
次に、図５を用いて、図１に示した転送サーバ１００について説明する。図５は、実施例１における転送サーバ１００の構成例を示すブロック図である。図５に例示するように、実施例１における転送サーバ１００は、ＩＦ（interface）部１１０と、入力部１２０と、表示部１３０と、記憶部１４０と、制御部１５０とを有する。
【００４０】
ＩＦ部１１０は、外部装置との間で各種情報を送受する。例えば、ＩＦ部１１０は、基地局やルータ等を介して、携帯端末装置３０によって送信されるアクセス情報を受信する。また、ＩＦ部１１０は、基地局やルータ等を介して、転送先（リダイレクト先）の広告コンテンツ（ウェブサイト）の所在を示す情報等を送信する。
【００４１】
入力部１２０は、各種情報や操作指示を入力するための入力デバイスであり、例えば、数字および文字等を入力するテンキーや、メニュー選択および表示スクロール等に用いられるカーソルキー等である。表示部１３０は、各種情報を出力する出力デバイスであり、例えば、液晶ディスプレイである。
【００４２】
記憶部１４０は、各種情報を記憶する記憶デバイスであり、図５に示した例では、所在情報記憶部１４１を有する。所在情報記憶部１４１は、非接触通信装置２１によって送信されるアクセス情報と、配信サーバ４０によって配信されるコンテンツの所在を示す所在情報とを対応付けて記憶する。ここで、図６に、実施例１における所在情報記憶部１４１の一例を示す。
【００４３】
図６に示した例では、所在情報記憶部１４１は、「アクセス情報」、「所在情報」といった項目を有する。「アクセス情報」は、吊り革２０のカバー２４に内在する非接触通信装置２１によって送信されるアクセス情報を示す。「所在情報」は、配信サーバ４０によって配信される広告コンテンツの所在を示し、例えば、広告コンテンツにアクセスするためのＵＲＬ等である。
【００４４】
図６に例示した「アクセス情報」に記憶されている各種情報のうち、「ｈｔｔｐ：ＡＡＡ・・・」の部分は、転送サーバ１００にアクセスするための情報であり、「ｈｔｔｐ：ＡＡＡ・・・」以降の「００１」や「００２」等は、非接触通信装置２１に割り当てられている割当情報であるものとする。すなわち、アクセス情報「ｈｔｔｐ：ＡＡＡ・・・００１」は、割当情報「００１」が割り当てられている非接触通信装置２１によって送信され、アクセス情報「ｈｔｔｐ：ＡＡＡ・・・００２」は、割当情報「００２」が割り当てられている非接触通信装置２１によって送信される。
【００４５】
図６に例示した所在情報記憶部１４１は、アクセス情報「ｈｔｔｐ：ＡＡＡ・・・００１」に対応付けて、所在情報「ｈｔｔｐ：ｗｗｗ．１１１」を記憶する。これは、転送サーバ１００が、アクセス情報「ｈｔｔｐ：ＡＡＡ・・・００１」によりアクセスされた場合に、「ｈｔｔｐ：ｗｗｗ．１１１」にＨＴＴＰリダイレクトすることを示している。
【００４６】
このような所在情報記憶部１４１は、管理者等によって予め各種情報が記憶される。例えば、管理者等は、入力部１２０を用いて各種操作を行うことで、所在情報記憶部１４１にアクセス情報と所在情報を格納したり、既に所在情報記憶部１４１に記憶されているアクセス情報と所在情報を更新したりする。
【００４７】
図５の説明に戻って、制御部１５０は、転送サーバ１００による処理を制御する制御デバイスであり、図５に示した例では、受信部１５１と、アクセス制御部１５２とを有する。受信部１５１は、外部装置からＩＦ部１１０を介して各種情報を受信する。かかる受信部１５１は、ＩＦ部１１０を介して、携帯端末装置３０からＨＴＴＰリクエストを受信した場合には、かかるＨＴＴＰリクエストをアクセス制御部１５２に出力する。
【００４８】
アクセス制御部１５２は、携帯端末装置３０によって用いられたアクセス情報に対応する所在情報を所在情報記憶部１４１から取得し、取得した所在情報が示す広告コンテンツに携帯端末装置３０をアクセスさせる。
【００４９】
具体的には、アクセス制御部１５２は、受信部１５１からＨＴＴＰリクエストを入力された場合に、かかるＨＴＴＰリクエストを送信した携帯端末装置３０が転送サーバ１００にアクセスする際に用いたアクセス情報に対応する所在情報を所在情報記憶部１４１から取得する。そして、アクセス制御部１５２は、所在情報記憶部１４１から取得した所在情報を含むＨＴＴＰレスポンスを携帯端末装置３０に送信するＨＴＴＰリダイレクトを行う。これにより、携帯端末装置３０は、アクセス制御部１５２によって送信された所在情報を受信した場合に、受信した所在情報が示す広告コンテンツにアクセスする。なお、アクセス制御部１５２は、ＨＴＴＰリダイレクトを行った場合に、携帯端末装置３０が転送サーバ１００にアクセスしたアクセス時刻やリダイレクト先となる所在情報等を記憶部１４０にログとして記憶する。
【００５０】
アクセス制御部１５２による処理について具体例を挙げて説明する。ここでは、所在情報記憶部１４１に記憶されている各種情報は、図６に示した状態であるものとする。例えば、携帯端末装置３０が、割当情報「００１」が割り当てられている非接触通信装置２１と非接触通信を行うことで、非接触通信装置２１からアクセス情報「ｈｔｔｐ：ＡＡＡ・・・００１」を受信し、かかるアクセス情報「ｈｔｔｐ：ＡＡＡ・・・００１」を用いて、転送サーバ１００にアクセスしたものとする。
【００５１】
かかる場合に、アクセス制御部１５２は、所在情報記憶部１４１から、アクセス情報「ｈｔｔｐ：ＡＡＡ・・・００１」に対応する所在情報「ｈｔｔｐ：ｗｗｗ．１１１」を取得する。そして、アクセス制御部１５２は、取得した所在情報「ｈｔｔｐ：ｗｗｗ．１１１」を携帯端末装置３０に送信する。携帯端末装置３０は、転送サーバ１００のアクセス制御部１５２から受信した所在情報「ｈｔｔｐ：ｗｗｗ．１１１」にアクセスする。そして、携帯端末装置３０は、配信サーバ４０によって配信される広告コンテンツを受信し、受信した広告コンテンツを表示部等に表示する。これにより、携帯端末装置３０の利用者は、配信サーバ４０によって配信される広告コンテンツを、表示部等を介して閲覧することができる。
【００５２】
なお、携帯端末装置３０が、アクセス情報「ｈｔｔｐ：ＡＡＡ・・・００２」やアクセス情報「ｈｔｔｐ：ＡＡＡ・・・００３」を用いて、転送サーバ１００にアクセスした場合にも、アクセス制御部１５２は、所在情報「ｈｔｔｐ：ｗｗｗ．１１１」を携帯端末装置３０に送信する。したがって、携帯端末装置３０は、上記例と同様に、「ｈｔｔｐ：ｗｗｗ．１１１」にアクセスすることになる。
【００５３】
また、例えば、携帯端末装置３０が、アクセス情報「ｈｔｔｐ：ＡＡＡ・・・００４」を用いて、転送サーバ１００にアクセスしたものとする。かかる場合に、アクセス制御部１５２は、所在情報記憶部１４１から、アクセス情報「ｈｔｔｐ：ＡＡＡ・・・００４」に対応する所在情報「ｈｔｔｐ：ｗｗｗ．４４４」を取得し、取得した所在情報「ｈｔｔｐ：ｗｗｗ．４４４」を携帯端末装置３０に送信する。かかる場合には、携帯端末装置３０は、「ｈｔｔｐ：ｗｗｗ．４４４」にアクセスすることになる。
【００５４】
［実施例１に係るネットワークシステムによる処理手順］
次に、図７を用いて、図１に示した各装置及び各サーバによる処理の手順について説明する。図７は、実施例１におけるネットワークシステム１に含まれる各装置及び各サーバ間の処理シーケンスを示す図である。
【００５５】
図７に示すように、車両１０の吊り革２０に内在する非接触通信装置２１は、近傍に位置する携帯端末装置３０にアクセス情報を送信する（ステップＳ１０１）。そして、携帯端末装置３０は、非接触通信装置２１から受信したアクセス情報を用いて、転送サーバ１００にアクセスする（ステップＳ１０２）。
【００５６】
そして、転送サーバ１００は、携帯端末装置３０からアクセスされた場合に、携帯端末装置３０からのアクセスを配信サーバ４０にＨＴＴＰリダイレクトする（ステップＳ１０３）。具体的には、転送サーバ１００のアクセス制御部１５２は、携帯端末装置３０が転送サーバ１００にアクセスする際に用いたアクセス情報に対応する所在情報を所在情報記憶部１４１から取得し、取得した所在情報を携帯端末装置３０に送信する。
【００５７】
そして、携帯端末装置３０は、転送サーバ１００から受信した所在情報が示す配信サーバ４０にアクセスする（ステップＳ１０４）。配信サーバ４０は、携帯端末装置３０からアクセスされた場合に、携帯端末装置３０が要求する広告コンテンツを携帯端末装置３０に配信する（ステップＳ１０５）。なお、携帯端末装置３０が要求する広告コンテンツとは、所在情報に依存するものである。例えば、携帯端末装置３０が、所在情報「ｈｔｔｐ：ｗｗｗ．１１１」により配信サーバ４０にアクセスした場合には、配信サーバ４０は、「ｈｔｔｐ：ｗｗｗ．１１１」に対応する広告コンテンツを携帯端末装置３０に送信する。
【００５８】
そして、携帯端末装置３０は、配信サーバ４０から配信された広告コンテンツを表示部等に表示する（ステップＳ１０６）。これにより、携帯端末装置３０の利用者は、配信サーバ４０から配信された広告コンテンツを閲覧することができる。
【００５９】
［実施例１の効果］
上述してきたように、実施例１に係るネットワークシステム１は、携帯端末装置３０の利用者が乗車する車両１０と、各種情報を転送する転送サーバ１００と、コンテンツを配信する配信サーバ４０とを含む。そして、車両１０は、携帯端末装置３０と非接触通信を行うことで転送サーバ１００にアクセスするためのアクセス情報をかかる携帯端末装置３０に送信する非接触通信装置２１が乗車中の利用者近傍に設けられる。また、携帯端末装置３０は、非接触通信装置２１から受信したアクセス情報を用いて、転送サーバ１００にアクセスする。また、転送サーバ１００は、非接触通信装置２１によって送信されるアクセス情報と、配信サーバ４０によって配信される広告コンテンツの所在を示す所在情報とを対応付けて記憶する所在情報記憶部１４１と、携帯端末装置３０によって用いられたアクセス情報に対応する所在情報を所在情報記憶部１４１から取得し、取得した所在情報が示す広告コンテンツに携帯端末装置３０をアクセスさせるアクセス制御部１５２とを有する。
【００６０】
これにより、実施例１によれば、車両１０に乗車する利用者は、携帯端末装置３０を吊り革２０に近づけるだけで、配信サーバ４０によって配信される広告コンテンツを閲覧することができる。そして、実施例１に係るネットワークシステム１では、転送サーバ１００や配信サーバ４０に保持されるログから広告コンテンツにアクセスされた回数を算出することができるので、広告主は、広告効果を把握することができる。
【実施例２】
【００６１】
次に、実施例２では、配信サーバ４０が配信する広告コンテンツへのアクセス数を、吊り革２０の位置や利用者に関する利用者情報毎に計数する例について説明する。なお、実施例２に係るネットワークシステムの構成は、図１に示した構成例と同様であるので、ここでは説明を省略する。
【００６２】
［実施例２における転送サーバの構成例］
まず、図８を用いて、実施例２における転送サーバについて説明する。図８は、実施例２における転送サーバ２００の構成例を示すブロック図である。なお、以下では、既に示した構成部位と同様の機能を有する部位には同一符号を付すこととして、その詳細な説明を省略する。
【００６３】
図８に例示するように、実施例２における転送サーバ２００は、記憶部２４０と、制御部２５０とを有する。記憶部２４０は、アクセス履歴記憶部２４２と、利用者情報記憶部２４３と、位置情報記憶部２４４と、アクセス数記憶部２４５とを有する。
【００６４】
アクセス履歴記憶部２４２は、配信サーバ４０によって配信される広告コンテンツに、後述するアクセス制御部２５２が携帯端末装置３０をアクセスさせるアクセス制御の履歴情報を記憶する。ここで、図９に、実施例２におけるアクセス履歴記憶部２４２の一例を示す。
【００６５】
図９に示した例では、アクセス履歴記憶部２４２は、「アクセス時刻」、「端末識別子」、「アクセス情報」、「所在情報」といった項目を有する。「アクセス時刻」は、携帯端末装置３０が転送サーバ２００にアクセスした時刻を示す。図９では、「アクセス時刻」に、年月日時分が記憶される例を示しているが、「アクセス時刻」には、例えば、年月日時分秒が記憶されてもよいし、年月日が記憶されてもよいし、時分が記憶されてもよい。「端末識別子」は、携帯端末装置３０を識別するための情報を示す。かかる「端末識別子」は、携帯端末装置毎に割り当てられる情報であり、「固体番号」等と呼ばれることがある。「アクセス情報」は、携帯端末装置３０が転送サーバ２００にアクセスする際に用いたアクセス情報を示す。「所在情報」は、後述するアクセス制御部２５２がＨＴＴＰリダイレクトを行った際に用いた所在情報を示す。
【００６６】
例えば、図９に例示したアクセス履歴記憶部２４２は、アクセス時刻「２０１０年１２月１日８時１０分」に、端末識別子が「１１」である携帯端末装置３０が、アクセス情報「ｈｔｔｐ：ＡＡＡ・・・００１」にアクセスし、転送サーバ２００が、かかる携帯端末装置３０に所在情報「ｈｔｔｐ：ｗｗｗ．１１１」を送信したことを示している。すなわち、この例は、転送サーバ２００が「ｈｔｔｐ：ＡＡＡ・・・００１」へのアクセスを「ｈｔｔｐ：ｗｗｗ．１１１」にＨＴＴＰリダイレクトしたことを示している。
【００６７】
このようなアクセス履歴記憶部２４２は、後述するアクセス制御部２５２によって各種情報が格納される。アクセス制御部２５２によってアクセス履歴記憶部２４２に各種情報が格納される処理については後述する。
【００６８】
図８の説明に戻って、利用者情報記憶部２４３は、携帯端末装置３０の利用者に関する利用者情報を記憶する。ここで、図１０に、実施例２における利用者情報記憶部２４３の一例を示す。図１０に示した例では、利用者情報記憶部２４３は、「端末識別子」、「利用者情報」といった項目を有する。「端末識別子」は、図９に示した端末識別子に対応する。「利用者情報」は、携帯端末装置３０の利用者に関する情報を示す。図１０に示した例では、「利用者情報」は、「性別」、「年齢」を記憶する。
【００６９】
例えば、図１０に例示した利用者情報記憶部２４３は、端末識別子が「１１」である携帯端末装置３０の利用者は、性別が「女」であり、年齢が「２０代（２０歳〜２９歳）」であることを示している。また、例えば、図１０に例示した利用者情報記憶部２４３は、端末識別子が「１２」である携帯端末装置３０の利用者は、性別が「男」であり、年齢が「１０代（１０歳〜１９歳）」であることを示している。なお、図１０では、利用者情報記憶部２４３の「年齢」に「１０代」や「２０代」といった年齢の範囲が記憶される例を示したが、利用者情報記憶部２４３の「年齢」には、「１５歳」や「２０歳」といった特定の年齢が記憶されてもよい。
【００７０】
このような利用者情報記憶部２４３に各種情報を格納する手法はいくつか考えられる。例えば、管理者等が、携帯端末装置を管理する管理会社等から利用者情報を取得し、取得した利用者情報を利用者情報記憶部２４３に格納してもよい。または、転送サーバ２００が、携帯端末装置を管理する管理会社等から利用者情報を取得し、取得した利用者情報を利用者情報記憶部２４３に格納してもよい。または、転送サーバ２００が、利用者に性別や年齢等の利用者情報を問い合わせる要求を携帯端末装置３０に送信し、かかる要求に応じて利用者に入力された利用者情報を携帯端末装置３０から受信し、受信した利用者情報を利用者情報記憶部２４３に格納してもよい。
【００７１】
図８の説明に戻って、位置情報記憶部２４４は、アクセス情報を送信した非接触通信装置２１が車両１０に設けられている位置を示す位置情報を記憶する。ここで、図１１に、実施例２における位置情報記憶部２４４の一例を示す。図１１に示した例では、位置情報記憶部２４４は、「アクセス情報」、「位置情報」といった項目を有する。「アクセス情報」は、非接触通信装置２１によって送信されるアクセス情報を示す。「位置情報」は、非接触通信装置２１が車両１０に設けられている位置を示す。
【００７２】
なお、上記の通り、割当情報は、非接触通信装置２１毎に割り当てられる情報である。すなわち、割当情報は、非接触通信装置２１を識別するための識別情報であるともいえる。そして、アクセス情報には割当情報が含まれるので、アクセス情報に含まれる割当情報に基づいて、非接触通信装置２１を識別することができる。例えば、アクセス情報「ｈｔｔｐ：ＡＡＡ・・・００１」を送信する非接触通信装置は、割当情報「００１」が割り当てられた非接触通信装置であると識別することができる。
【００７３】
図１１に例示した位置情報記憶部２４４は、アクセス情報「ｈｔｔｐ：ＡＡＡ・・・００１」を送信する非接触通信装置２１が、割当情報「００１」を割り当てられており、車両１０の１車両目の１番目に設けられていることを示している。また、例えば、図１１に例示した位置情報記憶部２４４は、アクセス情報「ｈｔｔｐ：ＡＡＡ・・・００２」を送信する非接触通信装置２１が、割当情報「００２」を割り当てられており、車両１０の１車両目の２番目に設けられていることを示している。なお、「Ｎ車両目のＭ番目」が示す位置は、予め決められている吊り革２０の位置である。
【００７４】
このような位置情報記憶部２４４は、管理者等によって予め各種情報が記憶される。なお、図１１に示した例では、位置情報記憶部２４４が、アクセス情報を記憶する例を示したが、位置情報記憶部２４４は、アクセス情報の代わりに割当情報を記憶してもよい。図１１に示した例を用いて説明すると、位置情報記憶部２４４は、例えば、割当情報「００１」に対応付けて位置情報「１車両１番」を記憶し、割当情報「００２」に対応付けて位置情報「１車両２番」等を記憶してもよい。
【００７５】
図８の説明に戻って、アクセス数記憶部２４５は、所在情報毎に、かかる所在情報が示す広告コンテンツに携帯端末装置３０がアクセスした回数であるアクセス数を記憶する。ここで、図１２に、実施例２におけるアクセス数記憶部２４５の一例を示す。
【００７６】
図１２に示した例では、アクセス数記憶部２４５は、「所在情報」、「時間帯」、「アクセス数」といった項目を有する。「所在情報」は、図９に示した所在情報に対応する。「時間帯」は、時刻の範囲を記憶する。図１２に示した例では、「時間帯」は、１時間毎に時刻の範囲を記憶する。「アクセス数」は、アクセス制御部２５２によってＨＴＴＰリダイレクトが行われた回数を示す。言い換えれば、「アクセス数」は、配信サーバ４０によって提供されるコンテンツに携帯端末装置３０がアクセスした回数を示す。
【００７７】
例えば、図１２に例示したアクセス数記憶部２４５は、時刻「０時〜１時」に、携帯端末装置３０によって所在情報「ｈｔｔｐ：ｗｗｗ．１１１」にアクセスされた回数が「１５回」であることを示している。また、例えば、図１２に例示したアクセス数記憶部２４５は、時刻「７時〜８時」の間に、携帯端末装置３０によって所在情報「ｈｔｔｐ：ｗｗｗ．１１１」にアクセスされた回数が「３１０回」であることを示している。なお、以下で表記する「Ｘ時〜Ｙ時」は、「Ｘ時００分以降でありＹ時００分よりも前」の時刻を示すものとする。
【００７８】
このようなアクセス数記憶部２４５は、後述する計数部２５３によって更新される。なお、図１２に示した例では、アクセス数記憶部２４５が、１時間毎のアクセス数を記憶する例を示したが、これに限られず、アクセス数記憶部２４５は、例えば、２時間毎のアクセス数や、１０分毎のアクセス数等を記憶してもよい。また、アクセス数記憶部２４５は、車両１０の乗客数が多くなることが想定される時間帯については、短い時間毎にアクセス数を記憶し、乗客数が少なくなることが想定される時間帯については、長い時間毎にアクセス数を記憶してもよい。例えば、アクセス数記憶部２４５は、車両１０が運行しない「１時〜５時」についてはアクセス数を記憶せず、「５時〜７時」については３０分毎のアクセス数を記憶し、「７時〜９時」については１０分毎のアクセス数を記憶し、「９時〜１７時」については１時間毎のアクセス数を記憶し、「１７時〜１時」については１０分毎のアクセス数を記憶してもよい。
【００７９】
また、図１２に示した例では、アクセス数記憶部２４５が、所在情報と時間帯とアクセス数とを対応付けて記憶する例を示したが、これに限られない。例えば、アクセス数記憶部２４５は、所在情報に対応付けて、時刻帯、端末識別子、性別、年齢、位置情報のいずれかの１以上の情報を記憶してもよい。
【００８０】
図８の説明に戻って、制御部２５０は、アクセス制御部２５２と、計数部２５３を有する。アクセス制御部２５２は、図５に示したアクセス制御部１５２と同様に、携帯端末装置３０によって用いられたアクセス情報に対応する所在情報を所在情報記憶部１４１から取得し、取得した所在情報を携帯端末装置３０に送信するＨＴＴＰリダイレクトを行う。
【００８１】
さらに、アクセス制御部２５２は、ＨＴＴＰリダイレクトを行った場合に、ＨＴＴＰリダイレクトの履歴情報をアクセス履歴記憶部２４２に格納する。具体的には、アクセス制御部２５２は、携帯端末装置３０が転送サーバ２００にアクセスしたアクセス時刻と、かかる携帯端末装置３０の端末識別子と、かかる携帯端末装置３０が転送サーバ２００にアクセスする際に用いたアクセス情報と、かかる携帯端末装置３０に送信した所在情報とをアクセス履歴記憶部２４２に格納する。なお、携帯端末装置３０は、転送サーバ２００にアクセスする場合に、自装置の端末識別子を転送サーバ２００に送信するものとする。
【００８２】
例えば、「２０１０年１２月２日８時２０分」に、端末識別子が「１２」である携帯端末装置３０が、アクセス情報「ｈｔｔｐ：ＡＡＡ・・・００５」にアクセスしたものとする。このとき、アクセス制御部２５２が、アクセス情報「ｈｔｔｐ：ＡＡＡ・・・００５」に対応する所在情報「ｈｔｔｐ：ｗｗｗ．５５５」を携帯端末装置３０に送信したものとする。かかる場合に、アクセス制御部２５２は、図９に例示したように、アクセス時刻「２０１０１２０２０８２０」と、端末識別子「１２」と、アクセス情報「ｈｔｔｐ：ＡＡＡ・・・００５」と、所在情報「ｈｔｔｐ：ｗｗｗ．５５５」とを対応付けて、アクセス履歴記憶部２４２に格納する。
【００８３】
計数部２５３は、アクセス履歴記憶部２４２に記憶されている各種情報に基づいて、所在情報毎に、かかる所在情報が示す広告コンテンツにアクセス制御部２５２がＨＴＴＰリダイレクトした回数を計数する。言い換えれば、計数部２５３は、所在情報毎に、かかる所在情報が示すコンテンツに携帯端末装置３０がアクセスしたアクセス数を計数する。なお、実施例２における計数部２５３は、所在情報毎のアクセス数を、アクセス時刻、端末識別子、利用者情報、位置情報等の少なくとも１以上の項目毎に計数する。そして、計数部２５３は、計数したアクセス数をアクセス数記憶部２４５に格納する。
【００８４】
以下に、計数部２５３による計数処理について具体例を挙げて説明する。まず、所在情報毎のアクセス数を所定のアクセス時刻毎に計数する例について説明する。かかる場合に、計数部２５３は、アクセス履歴記憶部２４２を検索し、所在情報が同一であり、かつ、アクセス時刻が所定の時間範囲であるレコード数を計数する。例えば、計数部２５３は、アクセス履歴記憶部２４２から、アクセス時刻の下４桁が「０７００」〜「０７５９」であり、かつ、所在情報が「ｈｔｔｐ：ｗｗｗ．１１１」であるレコード数を計数する。そして、計数部２５３は、計数結果を、「７時〜８時」に所在情報「ｈｔｔｐ：ｗｗｗ．１１１」にアクセスされたアクセス数とする。そして、計数部２５３は、アクセス時刻及び所在情報を変動させて、上記と同様の処理を行い、図１２に例示したアクセス数記憶部２４５に、所在情報、時間帯、アクセス数を対応付けて格納する。
【００８５】
続いて、計数部２５３が、所在情報毎のアクセス数を端末識別子毎に計数する例について説明する。かかる場合に、計数部２５３は、アクセス履歴記憶部２４２を検索し、端末識別子毎に、所在情報が同一であるレコード数を計数する。例えば、計数部２５３は、アクセス履歴記憶部２４２から、端末識別子が「１１」であり、かつ、所在情報が「ｈｔｔｐ：ｗｗｗ．１１１」であるレコード数を計数する。そして、計数部２５３は、かかる計数結果を、端末識別子が「１１」である携帯端末装置３０によって所在情報「ｈｔｔｐ：ｗｗｗ．１１１」にアクセスされたアクセス数とする。そして、計数部２５３は、端末識別子及び所在情報を変動させて、上記と同様の処理を行う。このような場合には、アクセス数記憶部２４５は、所在情報と端末識別子とアクセス数とを対応付けて記憶し、計数部２５３は、計数結果をアクセス数記憶部２４５に格納する。
【００８６】
また、計数部２５３が、所在情報毎のアクセス数を利用者情報毎に計数する例について説明する。ここでは、計数部２５３は、利用者情報の性別毎にアクセス数を計数するものとする。かかる場合に、計数部２５３は、アクセス履歴記憶部２４２に記憶されている端末識別子に対応する性別を利用者情報記憶部２４３から取得する。このとき、計数部２５３は、アクセス履歴記憶部２４２に記憶されている全てのレコードについて、端末識別子に対応する性別を利用者情報記憶部２４３から取得する。そして、計数部２５３は、利用者情報記憶部２４３から取得した性別毎にレコード数を計数し、計数したレコード数をアクセス数とすることで、性別毎のアクセス数を計数する。このような場合には、アクセス数記憶部２４５は、所在情報と性別とアクセス数とを対応付けて記憶し、計数部２５３は、計数結果をアクセス数記憶部２４５に格納する。
【００８７】
同様に、計数部２５３は、アクセス履歴記憶部２４２に記憶されている各種情報と、利用者情報記憶部２４３に記憶されている各種情報とに基づいて、所在情報毎のアクセス数を年齢毎に計数することができる。また、計数部２５３は、アクセス履歴記憶部２４２に記憶されている各種情報と、位置情報記憶部２４４に記憶されている各種情報とに基づいて、所在情報毎のアクセス数を吊り革２０の位置毎に計数したり、所在情報毎のアクセス数を車両毎に計数することができる。また、例えば、計数部２５３は、所在情報毎のアクセス数を平日と祝休日とに分けて計数することができる。
【００８８】
また、計数部２５３は、アクセス時刻、端末識別子、利用者情報、位置情報のうち、複数の情報を組み合わせて、組み合わせた情報毎に、アクセス数を計数してもよい。例えば、計数部２５３は、所在情報と、アクセス時刻と、性別と、年齢とを組み合わせた情報毎に、アクセス数を計数してもよい。この例の場合には、計数部２５３は、例えば、所在情報毎に、アクセス時刻「７時〜８時」に、性別「男」かつ年齢「２０代」の利用者が保持する携帯端末装置３０が、所在情報によって示されるコンテンツにアクセスした回数等を計数することができる。
【００８９】
また、計数部２５３は、計数結果を計数部２５３に記憶する他に、表示部１３０に計数結果を表示してもよいし、ＩＦ部１１０を介して管理者等の情報処理装置に計数結果を送信してもよいし、図示しないスピーカ等に計数結果を音声として出力してもよい。
【００９０】
また、計数部２５３は、管理者等が入力部１２０を介して、計数処理を行う旨の指示を行った場合に、計数処理を行ってもよいし、予め決められた時刻に計数処理を行ってもよい。また、計数部２５３が、所在情報、アクセス時刻、性別、年齢、又はこれらを組み合わせた情報のいずれかの情報毎にアクセス数を計数するかは、管理者等が入力部１２０を介して設定してもよい。
【００９１】
［実施例２の効果］
上述してきたように、実施例２では、転送サーバ２００が、配信サーバ４０によって配信される広告コンテンツにアクセス制御部２５２が携帯端末装置３０をアクセスさせるアクセス制御の履歴情報を記憶するアクセス履歴記憶部２４２と、アクセス履歴記憶部２４２に記憶されている履歴情報に基づいて、所在情報毎に、かかる所在情報が示す広告コンテンツに携帯端末装置３０がアクセスしたアクセス数を計数する計数部２５３とを有する。
【００９２】
さらに、実施例２では、アクセス履歴記憶部２４２は、アクセス制御部２５２が携帯端末装置３０をアクセスさせた広告コンテンツの所在情報に対応付けて、かかる携帯端末装置３０が転送サーバ２００にアクセスしたアクセス時刻、かかる携帯端末装置３０を識別するための端末識別子、かかる携帯端末装置３０の利用者に関する利用者情報、アクセス情報を送信した非接触通信装置２１の位置情報の少なくとも１以上を記憶する。また、計数部２５３は、アクセス履歴記憶部２４２に記憶されているアクセス時刻、端末識別子、利用者情報、位置情報の少なくとも１以上の項目毎に、所在情報毎のアクセス数を計数する。
【００９３】
このため、実施例２によれば、広告主は、広告効果を詳細に把握することができる。例えば、広告主は、アクセス時刻毎のアクセス数や、携帯端末装置３０の端末識別子毎のアクセス数や、利用者情報毎のアクセス数や、吊り革２０の位置情報毎のアクセス数を把握することができる。
【実施例３】
【００９４】
次に、実施例３では、携帯端末装置３０の利用者に関する利用者情報や非接触通信装置２１の位置情報等によって、携帯端末装置３０に送信する所在情報を変動させる例について説明する。言い換えれば、実施例３では、利用者情報や位置情報等によって、リダイレクト先を変動させる例について説明する。
【００９５】
［実施例３における転送サーバの構成例］
まず、図１３を用いて、実施例３における転送サーバについて説明する。図１３は、実施例３における転送サーバ３００の構成例を示すブロック図である。図１３に例示するように、実施例３における転送サーバ３００は、記憶部３４０と、制御部３５０とを有する。記憶部３４０は、所在情報記憶部３４１と、優先情報記憶部３４６とを有する。
【００９６】
所在情報記憶部３４１は、非接触通信装置２１によって送信されるアクセス情報と、リダイレクト先となる所在情報の候補とを対応付けて記憶する。ここで、図１４に、実施例３における所在情報記憶部３４１の一例を示す。
【００９７】
図１４に例示するように、所在情報記憶部３４１は、「アクセス情報」、「所在情報」といった項目を有する。「アクセス情報」は、非接触通信装置２１によって送信されるアクセス情報を示し、図６に例示したアクセス情報と同様である。「所在情報」は、配信サーバ４０によって配信される広告コンテンツの所在を示し、図６に例示した所在情報と同様である。ただし、所在情報記憶部３４１は、アクセス情報に対応付けて、複数の所在情報を有する。例えば、図１４に示した所在情報記憶部３４１は、携帯端末装置３０からアクセス情報「ｈｔｔｐ：ＡＡＡ・・・０１１」によりアクセスされた場合に、「ｈｔｔｐ：ｗｗｗ．１０１」、又は、「ｈｔｔｐ：ｗｗｗ．１０２」にＨＴＴＰリダイレクトすることを示している。
【００９８】
図１３の説明に戻って、優先情報記憶部３４６は、携帯端末装置３０による転送サーバ３００へのアクセスに関係する情報である属性情報に対応付けて、かかる携帯端末装置３０に優先的にアクセスさせる広告コンテンツの所在情報である優先所在情報を記憶する。なお、携帯端末装置３０による転送サーバ３００へのアクセスに関係する属性情報とは、例えば、携帯端末装置３０が転送サーバ３００にアクセスしたアクセス時刻や、転送サーバ３００にアクセスした携帯端末装置３０の利用者に関する利用者情報や、携帯端末装置３０が転送サーバ３００にアクセスする際に用いたアクセス情報を送信した非接触通信装置２１の位置情報等を示す。ここで、図１５に、実施例３における優先情報記憶部３４６の一例を示す。
【００９９】
図１５に示した例では、優先情報記憶部３４６は、「属性情報」、「優先所在情報」といった項目を有する。「属性情報」は、携帯端末装置３０による転送サーバ３００へのアクセスに関係する各種情報を示す。図１５に示した例では、「属性情報」は、「アクセス時刻」、「性別」、「年代」、「位置情報」を記憶する。「優先所在情報」は、携帯端末装置３０に優先的にアクセスさせる広告コンテンツの所在情報を示す。
【０１００】
例えば、図１５に例示した優先情報記憶部３４６は、携帯端末装置３０から「７時〜８時」にアクセスされた場合には、優先所在情報「ｈｔｔｐ：ＡＡＡ・・・１０１」に優先的にアクセスさせることを示している。また、例えば、図１５に例示した優先情報記憶部３４６は、利用者の性別が「女」である携帯端末装置３０からアクセスされた場合には、優先所在情報「ｈｔｔｐ：ＡＡＡ・・・１０２」に優先的にアクセスさせることを示している。
【０１０１】
このような優先情報記憶部３４６は、管理者等によって予め各種情報が記憶される。例えば、「ｈｔｔｐ：ＡＡＡ・・・１０１」がスポーツニュースに関する広告コンテンツである場合には、かかる広告コンテンツは、朝の通勤時における男性の利用者に閲覧したいというニーズが存在することが考えられる。このような場合には、管理者等は、図１５に例示したように、朝の通勤時に該当するアクセス時刻「７時〜８時」に対応付けて、優先所在情報「ｈｔｔｐ：ＡＡＡ・・・１０１」を優先情報記憶部３４６に格納するとともに、性別「男」に対応付けて、優先所在情報「ｈｔｔｐ：ＡＡＡ・・・１０１」を優先情報記憶部３４６に格納する。このように、管理者等は、広告コンテンツの閲覧ニーズによって、属性情報と優先所在情報とを優先情報記憶部３４６に格納する。
【０１０２】
図１３の説明に戻って、制御部３５０は、アクセス制御部３５２を有する。アクセス制御部３５２は、携帯端末装置３０からアクセスされた場合に、かかるアクセスに関係する属性情報に対応する優先所在情報を優先情報記憶部３４６から取得し、取得した優先所在情報が示す広告コンテンツに携帯端末装置３０を優先的にアクセスさせる。
【０１０３】
具体的には、アクセス制御部３５２は、携帯端末装置３０からアクセスされた場合に、アクセスされたアクセス時刻、かかる携帯端末装置３０の利用者の性別又は年代、携帯端末装置３０がアクセスに用いたアクセス情報を送信した非接触通信装置２１の位置情報等に対応する優先所在情報を優先情報記憶部３４６から取得する。このとき、アクセス制御部３５２は、利用者情報記憶部２４３から、携帯端末装置３０から受信した端末識別子に対応する利用者の性別又は年代を取得する。また、アクセス制御部３５２は、位置情報記憶部２４４から、携帯端末装置３０がアクセスに用いたアクセス情報に対応する位置情報を取得する。
【０１０４】
そして、アクセス制御部３５２は、優先情報記憶部３４６から優先所在情報を取得できた場合には、かかる優先所在情報を携帯端末装置３０に送信する。一方、アクセス制御部３５２は、優先情報記憶部３４６から優先所在情報を取得できなかった場合には、携帯端末装置３０が転送サーバ３００へのアクセスに用いたアクセス情報に対応する所在情報を所在情報記憶部３４１から取得し、取得した所在情報を携帯端末装置３０に送信する。このとき、アクセス制御部３５２は、所在情報記憶部３４１から複数の所在情報を取得した場合には、いずれの所在情報を携帯端末装置３０に送信してもよい。
【０１０５】
［実施例３におけるアクセス制御部による処理手順］
次に、図１６を用いて、アクセス制御部３５２による処理の手順について説明する。図１６は、実施例３におけるアクセス制御部３５２による処理手順を示すフローチャートである。
【０１０６】
図１６に示すように、アクセス制御部３５２は、携帯端末装置３０からアクセスされた場合に（ステップＳ２０１肯定）、アクセスに関係する属性情報に対応する優先所在情報を優先情報記憶部３４６から取得する（ステップＳ２０２）。そして、アクセス制御部３５２は、優先情報記憶部３４６から優先所在情報を取得できた場合には（ステップＳ２０３肯定）、かかる優先所在情報を携帯端末装置３０に送信する（ステップＳ２０４）。
【０１０７】
一方、アクセス制御部３５２は、優先情報記憶部３４６から優先所在情報を取得できなかった場合には（ステップＳ２０３否定）、携帯端末装置３０が転送サーバ３００にアクセスする際に用いたアクセス情報に対応する所在情報を所在情報記憶部３４１から取得し、取得した所在情報のいずれかを携帯端末装置３０に送信する（ステップＳ２０５）。
【０１０８】
［実施例３の効果］
上述してきたように、実施例３では、転送サーバ３００が、携帯端末装置３０による転送サーバ３００へのアクセスに関係する情報である属性情報に対応付けて、かかる携帯端末装置３０に優先的にアクセスさせるコンテンツの所在情報である優先所在情報を記憶する優先情報記憶部３４６と、携帯端末装置３０から転送サーバ３００へのアクセスが行われた場合に、かかるアクセスに関係する属性情報に対応する優先所在情報を優先情報記憶部３４６から取得し、取得した優先所在情報が示す広告コンテンツに携帯端末装置３０をアクセスさせるアクセス制御部３５２を有する。
【０１０９】
このため、実施例３によれば、利用者にニーズに見合う広告コンテンツを携帯端末装置３０に提供することができる。すなわち、実施例３によれば、広告主は、利用者に対するサービスを向上させることができる。
【実施例４】
【０１１０】
上記実施例２及び３では、利用者情報記憶部２４３が管理者等によって更新される例を示した。しかし、利用者情報記憶部２４３に格納される各種情報は、携帯端末装置３０がアクセスする広告コンテンツの種別に基づいて、推定されてもよい。そこで、実施例４では、利用者情報を推定する例について説明する。
【０１１１】
［実施例４における転送サーバの構成例］
まず、図１７を用いて、実施例４における転送サーバについて説明する。図１７は、実施例４における転送サーバ４００の構成例を示すブロック図である。図１７に例示するように、実施例４における転送サーバ４００は、記憶部４４０と、制御部４５０とを有する。記憶部４４０は、傾向情報記憶部４４７を有する。
【０１１２】
傾向情報記憶部４４７は、所在情報に対応付けて、かかる所在情報が示す広告コンテンツにアクセスする携帯端末装置３０の利用者の傾向を示す傾向情報を記憶する。ここで、図１８に、実施例４における傾向情報記憶部４４７の一例を示す。
【０１１３】
図１８に示した例では、傾向情報記憶部４４７は、「所在情報」、「種別」、「傾向情報」といった項目を有する。「所在情報」は、図６に示した所在情報に対応する。「種別」は、所在情報が示す広告コンテンツの種別を示す。「傾向情報」は、所在情報が示す広告コンテンツにアクセスする利用者の傾向を示す。図１８に例示した「傾向情報」は、利用者情報毎に、コンテンツにアクセスする傾向を数値で記憶する。なお、ここでは、「傾向情報」に記憶されている数値が大きいほど、コンテンツにアクセスすることが多い傾向にあることを示すものとする。
【０１１４】
例えば、図１８に例示した傾向情報記憶部４４７は、所在情報「ｈｔｔｐ：ｗｗｗ．１１１」が「女性ファッション」に関する広告コンテンツであることを示している。さらに、図１８に例示した傾向情報記憶部４４７は、「ｈｔｔｐ：ｗｗｗ．１１１」には、利用者が女性や２０代である携帯端末装置３０からアクセスされることが１番多く、次いで、利用者が１０代である携帯端末装置３０からアクセスされることが多く、利用者が男性である携帯端末装置３０からアクセスされることは少ない傾向にあることを示している。
【０１１５】
図１７の説明に戻って、制御部４５０は、推定部４５４を有する。推定部４５４は、アクセス制御部１５２によって携帯端末装置３０がアクセス制御された広告コンテンツの所在情報に対応する傾向情報を傾向情報記憶部４４７から取得し、取得した傾向情報に基づいて、かかる携帯端末装置３０の利用者に関する利用者情報を推定する。言い換えれば、推定部４５４は、携帯端末装置３０がアクセスした広告コンテンツの所在情報に対応する傾向情報に基づいて利用者情報を推定する。
【０１１６】
具体的には、推定部４５４は、アクセス履歴記憶部２４２から、端末識別子毎に所在情報を取得し、取得した所在情報に対応するに傾向情報を傾向情報記憶部４４７から取得する。そして、推定部４５４は、取得した全ての傾向情報に基づいて、アクセス履歴記憶部２４２から取得した所在情報が示す広告コンテンツに最もアクセスすることが多い傾向にある利用者の傾向を推定する。
【０１１７】
推定部４５４による推定処理について具体例を挙げて説明する。ここでは、アクセス履歴記憶部２４２に記憶されている各種情報は、図９に示した状態であるものとする。また、傾向情報記憶部４４７に記憶されている各種情報は、図１８に示した状態であるものとする。かかる場合に、アクセス履歴記憶部２４２は、例えば、図９に例示したアクセス履歴記憶部２４２から、端末識別子「１１」に対応する所在情報「ｈｔｔｐ：ｗｗｗ．１１１」及び「ｈｔｔｐ：ｗｗｗ．４４４」を取得する。続いて、推定部４５４は、傾向情報記憶部４４７から、所在情報「ｈｔｔｐ：ｗｗｗ．１１１」に対応する傾向情報「性別『男』＝『０』、性別『女』＝『１０』、年代『１０代』＝『５』、年代『２０代』＝『１０』」を取得するとともに、所在情報「ｈｔｔｐ：ｗｗｗ．４４４」に対応する傾向情報「性別『男』＝『３』、性別『女』＝『０』、年代『１０代』＝『３』、年代『２０代』＝『３』」を取得する。
【０１１８】
そして、推定部４５４は、取得した傾向情報を利用者情報毎に加算する。すなわち、上記例の場合には、推定部４５４は、傾向情報記憶部４４７から取得した２個の傾向情報を利用者情報毎に加算することで、「性別『男』＝『３』、性別『女』＝『１０』、年代『１０代』＝『８』、年代『２０代』＝『１３』」を得る。そして、推定部４５４は、性別『男』＝『３』と、性別『女』＝『１０』とを比較して、性別『女』の方が傾向情報の加算値が大きいので、端末識別子が「１１」である携帯端末装置３０の利用者は女性であると推定する。また、推定部４５４は、年代『１０代』＝『８』と、年代『２０代』＝『１３』とを比較して、年代『２０代』＝『１３』の方が傾向情報の加算値が大きいので、端末識別子が「１１」である携帯端末装置３０の利用者は２０代であると推定する。そして、推定部４５４は、推定した結果を利用者情報記憶部２４３に格納する。上記例の場合には、推定部４５４は、端末識別子「１１」、性別「女」、年齢「２０代」を対応付けて利用者情報記憶部２４３に格納する。
【０１１９】
なお、図１８では、傾向情報記憶部４４７が、所在情報と傾向情報とを対応付けて記憶する例を示したが、傾向情報記憶部４４７は、非接触通信装置２１の位置情報と傾向情報とを対応付けて記憶してもよいし、アクセス時刻と傾向情報とを対応付けて記憶してもよい。具体的には、所定の学校の最寄り駅に停車する電車には、かかる学校の生徒が通学時間に乗車することが考えられる。例えば、男子高校Ａの最寄り駅Ｂに停車する電車Ｃの乗客のうち、通学時間「７時〜８時」の乗客は、ほとんど１０代の男性であることが考えられる。この場合には、傾向情報記憶部４４７は、例えば、非接触通信装置２１の位置情報「電車Ｃの１車両１番」とアクセス時刻「７時〜８時」との組み合わせに対応付けて、傾向情報「性別『男』＝『１０』、性別『女』＝『０』、年代『１０代』＝『１０』、年代『２０代』＝『０』」を記憶する。これにより、推定部４５４は、例えば、「７時〜８時」に電車Ｃからアクセスした携帯端末装置３０の利用者が１０代の男性であると推定することができる。
【０１２０】
なお、推定部４５４は、管理者等が入力部１２０を介して、推定処理を行う旨の指示を行った場合に、推定処理を行ってもよいし、予め決められた時刻に推定処理を行ってもよい。
【０１２１】
［実施例４における推定部による処理手順］
次に、図１９を用いて、推定部４５４による処理の手順について説明する。図１９は、実施例４における推定部４５４による処理手順を示すフローチャートである。
【０１２２】
図１９に示すように、推定部４５４は、推定処理を開始するタイミングになった場合に（ステップＳ３０１肯定）、アクセス履歴記憶部２４２から、端末識別子毎に所在情報を取得する（ステップＳ３０２）。なお、ここでいう「推定処理を開始するタイミング」とは、上記の通り、管理者等から推定処理を行う旨の指示を受け付けた場合や、予め決められた時刻になった場合等を示す。
【０１２３】
そして、推定部４５４は、取得した所在情報に対応するに傾向情報を傾向情報記憶部４４７から取得し、取得した全ての傾向情報を集計する（ステップＳ３０３）。例えば、推定部４５４は、傾向情報記憶部４４７から取得した傾向情報を利用者情報毎に加算する。
【０１２４】
そして、推定部４５４は、傾向情報の集計結果に基づいて、アクセス履歴記憶部２４２から取得した所在情報が示すコンテンツに最もアクセスすることが多い傾向にある利用者の傾向を推定する（ステップＳ３０４）。そして、推定部４５４は、推定結果を利用者情報記憶部２４３に更新する（ステップＳ３０５）。
【０１２５】
［実施例４の効果］
上述してきたように、実施例４では、転送サーバ４００が、所在情報に対応付けて、かかる所在情報が示す広告コンテンツにアクセスする携帯端末装置３０の利用者の傾向を示す傾向情報を記憶する傾向情報記憶部４４７と、アクセス制御部１５２によって携帯端末装置３０がアクセス制御された広告コンテンツの所在情報に対応する傾向情報を傾向情報記憶部４４７から取得し、取得した傾向情報に基づいて、携帯端末装置３０の利用者に関する利用者情報を推定する推定部４５４とを有する。
【０１２６】
このため、実施例４によれば、携帯端末装置３０を管理する管理会社等から利用者情報を取得できない場合であっても、利用者に利用者情報を入力させることなく、利用者情報を得ることができる。したがって、実施例４における転送サーバ４００を実施例２に適用した場合には、利用者に利用者情報を入力させることなく、広告主は、広告効果を詳細に把握することができる。また、実施例４における転送サーバ４００を実施例３に適用した場合には、利用者に利用者情報を入力させることなく、利用者にニーズに見合う広告コンテンツを携帯端末装置３０に提供することができる。
【実施例５】
【０１２７】
上記実施例１では、吊り革２０の広告媒体２５や中吊り広告１３ａ〜１３ｂ等の紙による広告に、広告コンテンツに関するコンテンツ情報を掲載する例について示した。しかし、各種情報を表示するディスプレイ等の表示装置に、コンテンツ情報を掲載してもよい。そこで、実施例５では、広告コンテンツに関するコンテンツ情報を表示装置に掲載する例について説明する。
【０１２８】
［実施例５に係るネットワークシステムの構成例］
まず、図２０を用いて、実施例５に係るネットワークシステムについて説明する。図２０は、実施例５に係るネットワークシステム２の構成例を示す図である。図２０に例示するように、実施例５に係るネットワークシステム２は、車両５０と、配信サーバ４０と、コンテンツ表示制御装置８０と、転送サーバ５００とを含む。
【０１２９】
実施例５における車両５０は、吊り革６０ａ及び６０ｂと、中吊りデジタル広告７０とが備えられる。吊り革６０ａ及び６０ｂには、各種情報を表示するディスプレイ等の表示装置が設けられる。また、中吊りデジタル広告７０は、各種情報を表示するディスプレイ等の表示装置である。なお、吊り革６０ａ及び６０ｂ等は、同様の構成を有するので、以下では、吊り革６０ａ及び６０ｂ等を総称して「吊り革６０」と表記する場合がある。
【０１３０】
コンテンツ表示制御装置８０は、広告コンテンツに関するコンテンツ情報を、吊り革６０に設けられた表示装置や中吊りデジタル広告７０に表示制御する。なお、コンテンツ表示制御装置８０については、後に詳述する。
【０１３１】
図２１に、実施例５における吊り革６０の平面図を示す。図２１に示すように、実施例５における吊り革６０は、持ち手部２２と、吊り紐２３と、カバー２４と、デジタル広告媒体６５とを含む。デジタル広告媒体６５は、カバー２４上に備えられた小型ディスプレイ等の表示装置であり、コンテンツ表示制御装置８０による制御によって、広告コンテンツに関するコンテンツ情報を表示制御する。図２１に示した例では、デジタル広告媒体６５は、『サイトＡにアクセス  「タッチ」してください』といったコンテンツ情報を表示している。
【０１３２】
［実施例５におけるコンテンツ表示制御装置の構成例］
次に、図２２を用いて、図２０に示したコンテンツ表示制御装置８０について説明する。図２２は、実施例５におけるコンテンツ表示制御装置８０の構成例を示すブロック図である。図２２に例示するように、実施例５におけるコンテンツ表示制御装置８０は、ＩＦ部８１と、入力部８２と、表示部８３と、記憶部８４と、制御部８５とを有する。
【０１３３】
ＩＦ部８１は、外部装置との間で各種情報を送受する。例えば、ＩＦ部８１は、デジタル広告媒体６５や中吊りデジタル広告７０に各種情報を送信する。入力部８２は、各種情報や操作指示を入力するための入力デバイスであり、例えば、数字および文字等を入力するテンキーや、メニュー選択および表示スクロール等に用いられるカーソルキー等である。表示部８３は、各種情報を出力する出力デバイスであり、例えば、液晶ディスプレイである。
【０１３４】
記憶部８４は、各種情報を記憶する記憶デバイスであり、図２２に示した例では、コンテンツ情報記憶部８４ａを有する。コンテンツ情報記憶部８４ａは、非接触通信装置２１の位置情報と、広告コンテンツに関する情報であるコンテンツ情報とを対応付けて記憶する。ここで、図２３に、実施例５におけるコンテンツ情報記憶部８４ａの一例を示す。
【０１３５】
図２３に示した例では、コンテンツ情報記憶部８４ａは、「位置情報」、「コンテンツ情報」といった項目を有する。「位置情報」は、非接触通信装置２１が車両５０に設けられている位置を示す。「コンテンツ情報」は、広告コンテンツに関する情報を示す。
【０１３６】
例えば、図２３に例示したコンテンツ情報記憶部８４ａは、１車両目１番目に設けられている吊り革６０のデジタル広告媒体６５には、「サイトＡにアクセス・・・」といったコンテンツ情報が表示されることを示している。また、例えば、図２３に例示したコンテンツ情報記憶部８４ａは、車両５０の１車両目４番目に設けられている吊り革６０のデジタル広告媒体６５には、「サイトＢにアクセス・・・」といったコンテンツ情報が表示されることを示している。
【０１３７】
なお、コンテンツ情報記憶部８４ａは、中吊りデジタル広告７０が車両５０に設けられている位置を示す位置情報に対応付けて、コンテンツ情報を記憶してもよい。このようなコンテンツ情報記憶部８４ａは、管理者等によって予め各種情報が記憶される。例えば、管理者等は、吊り革６０に内在する非接触通信装置２１と非接触通信を行うことで配信される広告コンテンツに関するコンテンツ情報が、かかる吊り革６０のデジタル広告媒体６５に表示制御されるように、コンテンツ情報記憶部８４ａに各種情報を格納する。
【０１３８】
図２２の説明に戻って、制御部８５は、表示制御部８５ａと、更新部８５ｂとを有する。表示制御部８５ａは、コンテンツ情報記憶部８４ａに記憶されている各種情報に基づいて、ＩＦ部８１を介して、車両５０内の吊り革６０に備えられているデジタル広告媒体６５に、コンテンツ情報を表示するように制御する。
【０１３９】
例えば、コンテンツ情報記憶部８４ａに記憶されている各種情報が図２３に示した状態であるものとする。かかる場合に、制御部８５は、コンテンツ情報記憶部８４ａから、位置情報「１車両１番」とコンテンツ情報「サイトＡにアクセス・・・」とを取得し、１車両目の１番目の吊り革６０に備えられているデジタル広告媒体６５に、「サイトＡにアクセス・・・」を表示するように制御する。
【０１４０】
なお、コンテンツ情報記憶部８４ａが中吊りデジタル広告７０の位置情報に対応付けてコンテンツ情報を記憶する場合には、コンテンツ情報記憶部８４ａは、かかる位置情報が示す中吊りデジタル広告７０に、コンテンツ情報を表示するように制御する。
【０１４１】
更新部８５ｂは、入力部８２を介してコンテンツ情報記憶部８４ａに記憶されている情報を更新する旨の操作を受け付けた場合に、かかる操作内容に従って、コンテンツ情報記憶部８４ａに記憶されている情報を更新する。
【０１４２】
［実施例５における転送サーバの構成例］
次に、図２４を用いて、図２０に示した転送サーバ５００について説明する。図２４は、実施例５における転送サーバ５００の構成例を示すブロック図である。図２４に例示するように、転送サーバ５００は、制御部５５０を有する。かかる制御部５５０は、更新部５５５を有する。
【０１４３】
更新部５５５は、入力部１２０を介して所在情報記憶部１４１に記憶されている情報を更新する旨の操作を受け付けた場合に、かかる操作内容に従って、所在情報記憶部１４１に記憶されている情報を更新する。
【０１４４】
［実施例５の効果］
上述してきたように、実施例５では、コンテンツ表示制御装置８０が、非接触通信装置２１の近傍に設けられたデジタル広告媒体６５や中吊りデジタル広告７０に、かかる非接触通信装置２１から送信されるアクセス情報により携帯端末装置３０がアクセスする広告コンテンツに関するコンテンツ情報を表示制御する。具体的には、実施例５では、車両５０内の吊り革６０にデジタル広告媒体６５が設けられ、車両５０に中吊りデジタル広告７０が設けられ、コンテンツ表示制御装置８０が、吊り革６０や中吊りデジタル広告７０の位置情報に対応付けてコンテンツ情報をコンテンツ情報記憶部８４ａに記憶し、コンテンツ情報記憶部８４ａに記憶されている各種情報に基づいて、吊り革６０や中吊りデジタル広告７０にコンテンツ情報を表示する表示制御する。
【０１４５】
このため、実施例５によれば、管理者等は、デジタル広告媒体６５や中吊りデジタル広告７０に表示されるコンテンツ情報をフレキシブルに変更することができる。例えば、管理者等は、広告主の変更等の理由により、転送サーバ５００の所在情報記憶部１４１に記憶されている所在情報を更新する場合がある。すなわち、吊り革６０に内在する非接触通信装置２１と非接触通信を行うことで配信サーバ４０から携帯端末装置３０に提供される広告コンテンツが変動することになる。このような場合には、吊り革や中吊り広告に掲載されるコンテンツ情報を変更することになるが、実施例５によれば、管理者等は、コンテンツ表示制御装置８０を操作するだけで、デジタル広告媒体６５や中吊りデジタル広告７０に表示されるコンテンツ情報を変更することができる。
【０１４６】
なお、上記実施例５において、コンテンツ表示制御装置８０の更新部８５ｂと、転送サーバ５００の更新部５５５とは連動して動作してもよい。具体的には、コンテンツ表示制御装置８０と転送サーバ５００とがネットワークを介して接続され、更新部８５ｂによる更新処理に連動して更新部５５５が更新処理を行い、その逆に、更新部５５５による更新処理に連動して更新部８５ｂが更新処理を行う。
【０１４７】
例えば、更新部５５５が、図６に例示した所在情報記憶部１４１の所在情報「ｈｔｔｐ：ｗｗｗ．４４４」を「ｈｔｔｐ：ｗｗｗ．５５５」に更新したものとする。かかる場合には、更新部５５５は、アクセス情報「ｈｔｔｐ：ＡＡＡ・・・００４」に対応する所在情報を「ｈｔｔｐ：ｗｗｗ．５５５」に更新したことを更新部８５ｂに通知する。かかる通知を受信した更新部８５ｂは、コンテンツ情報記憶部８４ａに記憶されている各種情報のうち、割当情報が「００４」である吊り革６０の位置情報に対応するコンテンツ情報を、「ｈｔｔｐ：ｗｗｗ．５５５」に対応するコンテンツ情報に更新する。
【実施例６】
【０１４８】
上記実施例１では、吊り革２０の吊り紐２３を覆うケース２６上に非接触通信装置２１が設けられ、かかる非接触通信装置２１を覆うカバー２４が設けられる例を示したが、従来から吊り革に一般的に備えられているケース２６の内部の非接触通信装置２１を構成する部位の一部を内蔵してもよい。そこで、実施例６では、吊り革の他の構造例について説明する。
【０１４９】
図２５及び図２６を用いて、実施例６における吊り革の構造について説明する。図２５は、実施例６における吊り革の平面図である。また、図２６は、図２５のＩＩ−ＩＩ線における断面を模式的に示す図である。
【０１５０】
図２５に示すように、実施例６における吊り革９０は、持ち手部２２と、吊り紐２３と、第１ケース９６ａと、第２ケース９６ｂとを含む。そして、図２６に示すように、第１ケース９６ａの内部には、アンテナ２７が設けられる。また、第２ケース９６ｂの内部には、通信回路２８及び電力供給部２９が設けられる。
【０１５１】
なお、第１ケース９６ａは、図４に示したケース２６に対応する。上記の通り、第１ケース９６ａは、従来の吊り革に一般的に設けられていることが多い。すなわち、実施例６における吊り革９０は、従来の吊り革に備えられている第１ケース９６ａを流用し、通信回路２８及び電力供給部２９が設けられる第２ケース９６ｂを新たに備えるだけで実現することができる。このため、実施例６における吊り革９０は、低廉に実現することができる。
【０１５２】
また、アンテナ２７は、コイルにより実現されるため収納スペースを要するが、実施例６における吊り革９０は、アンテナ２７と、通信回路２８及び電力供給部２９とを別のケースに収納されるので、アンテナ２７の収納スペースが広くなる。この結果、実施例６における吊り革９０は、アンテナ２７の電波感度を向上させることができるので、非接触通信装置２１と携帯端末装置３０との無線通信感度を向上させることができる。なお、ここでは、図示することを省略するが、第１ケース９６ａにアンテナ２７及び通信回路２８が収納され、第２ケース９６ｂに電力供給部２９が収納されてもよい。
【０１５３】
また、吊り革は、コイル状のアンテナを持ち手部の内部に備えてもよい。図２７及び図２８を用いて、具体的に説明する。図２７は、実施例６における吊り革の平面図である。また、図２８は、図２７のＩＩＩ−ＩＩＩ線における断面を模式的に示す図である。
【０１５４】
図２７に示すように、実施例６における吊り革９００は、吊り紐２３と、ケース２６と、持ち手部９０２とを含む。また、図２７に示すように、ケース２６には、広告媒体２５が設けられ、持ち手部９０２の内部には、コイル状のアンテナ９０７が設けられる。
【０１５５】
そして、図２８に示すように、ケース２６の内部には、通信回路２８及び電力供給部２９が設けられる。そして、持ち手部９０２の内部に設けられたアンテナ９０７は、ケース２６内部の通信回路と接続される。
【０１５６】
このように、吊り革９００は、持ち手部９０２の内部にアンテナ９０７が設けられ、ケース２６に通信回路２８及び電力供給部２９が収納されることで実現することができる。そして、吊り革９００は、アンテナ９０７が円形の持ち手部９０２に設けられることで、アンテナ９０７の電波感度を向上させることができ、その結果、非接触通信装置２１と携帯端末装置３０との無線通信感度を向上させることができる。なお、図２７及び図２８に示した例において、アンテナ９０７と通信回路２８とは必ずしも接続されている必要はない。
【０１５７】
また、コイル状のアンテナ９０７は、図３に例示した持ち手部２２の内部に設けられてもよい。かかる場合には、例えば、吊り紐２３と接する持ち手部２２の面（持ち手部２２の内円部）と、持ち手部２２と接する吊り紐２３の面とを金属製にすることで、持ち手部２２の内部に設けられたアンテナ９０７と、カバー２４の内部に設けられた通信回路２８とを接続することができる。このとき、通信回路２８及び電力供給部２９は、図２８に示した例のように、ケース２６の内部に設けられてもよい。
【０１５８】
以上、上記の実施例１〜６によれば、交通機関の車両内に広告を掲載する広告主は、広告効果を把握することができる。
【０１５９】
なお、上記の記憶部１４０、２４０、３４０、４４０及び８４は、例えば、ＲＡＭ（Random  Access  Memory)、フラッシュメモリ（Flash  Memory）などの半導体メモリ素子、又は、ハードディスク、光ディスクなどの記憶装置である。また、上記の制御部１５０、２５０、３５０、４５０、５５０及び８５は、例えば、ＡＳＩＣ（Application  Specific  Integrated  Circuit）やＦＰＧＡ(Field  Programmable  Gate  Array)などの集積回路、又は、ＣＰＵ（Central  Processing  Unit）などの電子回路により実現される。
【実施例７】
【０１６０】
ところで、本願の開示するネットワークシステム及びコンテンツ配信方法は、上述した実施例以外にも、種々の異なる形態にて実施されてよい。そこで、実施例７では、本願の開示するネットワークシステム及びコンテンツ配信方法の他の実施例について説明する。
【０１６１】
［優先処理］
上記実施例３では、転送サーバ３００が、アクセス時刻、利用者情報、非接触通信装置２１の位置情報等に基づいて、優先的にアクセスさせる広告コンテンツを決定する例を示した。しかし、転送サーバは、端末識別子に対応付けて、利用者が乗車する駅や降車する駅を予め登録しておき、利用者が乗降車する駅の近傍に存在する商店に関する広告コンテンツに優先的にＨＴＴＰリダイレクトしてもよい。なお、転送サーバは、携帯端末装置３０が非接触通信装置２１と非接触通信を行う時刻に基づいて、利用者が乗降車する駅を推定してもよい。また、転送サーバは、アクセス履歴記憶部２４２に記憶されている各種情報に基づいて、利用者の好みを分析するレコメンデーションを行い、利用者が好む傾向になる広告コンテンツに優先的にＨＴＴＰリダイレクトしてもよい。
【０１６２】
［推定処理］
また、上記実施例４では、転送サーバ４００が、傾向情報記憶部４４７に記憶されている傾向情報に基づいて、利用者情報を推定する例を示した。しかし、各駅に非接触通信装置を設置することで、駅に設置された非接触通信装置と非接触通信を行った携帯端末装置３０の利用者情報を推定してもよい。例えば、転送サーバは、男子高校Ａの最寄り駅Ｂに設置された非接触通信装置と非接触通信を行った携帯端末装置３０の利用者が１０代の男性であると推定する。
【０１６３】
また、各駅に非接触通信装置を設置し、転送サーバは、駅に設置された非接触通信装置と非接触通信を行った携帯端末装置３０の利用者が乗降車する駅を推定してもよい。そして、転送サーバは、利用者が乗降車する駅の近傍に存在する商店に関する広告コンテンツに優先的にＨＴＴＰリダイレクトしてもよい。
【０１６４】
［リアルアフィリエイト］
また、商店に非接触通信装置を設置することでリアルアフィリエイトを実現してもよい。具体的には、利用者は、電車内で広告媒体２５等を閲覧し、興味がある場合には吊り革２０に内在する非接触通信装置２１と携帯端末装置３０とを非接触通信させることで、所定のサイトに登録する手順までを行い、その後に、商店に設定された非接触通信装置と携帯端末装置３０とを非接触通信させることで、アフィリエイトを成立させる。このようなシステムは、利用者を容易に商店へ誘引することができる。
【０１６５】
［非接触通信装置の設置位置］
また、上記の各実施例では、非接触通信装置２１が吊り革２０の内部に設置される例を示した。しかし、非接触通信装置２１は、吊り革２０以外にも、車両内の手すりや内壁に設置されてもよい。
【０１６６】
［リダイレクト］
また、上記の各実施例では、転送サーバが、携帯端末装置３０からアクセスされた場合に、広告コンテンツの所在情報を携帯端末装置３０に送信するＨＴＴＰリダイレクトを行う例を示した。しかし、転送サーバは、携帯端末装置３０からアクセスされた場合に、携帯端末装置３０が用いたアクセス情報に対応する所在情報にアクセスすることで広告コンテンツを取得し、取得した広告コンテンツを携帯端末装置３０に送信してもよい。
【０１６７】
［利用者情報］
また、上記の各実施例では、利用者情報の一例として「性別」と「年齢」を示した。しかし、利用者情報には、例えば、「職業」や「出身地」や「趣味」等が含まれてもよい。
【０１６８】
［適用範囲］
また、上記の実施例１〜６では、互いの実施例を単独で実施する場合を例示したが、これらの実施例は好適に組み合わせて実施することができる。例えば、実施例３における転送サーバ３００、実施例４における転送サーバ４００及び実施例５における転送サーバ５００は、実施例２に示したアクセス履歴記憶部２４２と計数部２５３とを有してもよい。また、例えば、実施例４における転送サーバ４００及び実施例５における転送サーバ５００は、実施例３に示した優先情報記憶部３４６を有し、アクセス制御部１５２がアクセス制御部３５２と同様の処理を行ってもよい。また、例えば、実施例５における転送サーバ５００は、実施例４に示した傾向情報記憶部４４７と推定部４５４とを有してもよい。
【０１６９】
［システム構成］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、転送サーバ１００、２００、３００、４００及び５００は、外部装置としてのストレージ装置等に保持してもよい。また、転送サーバ１００、２００、３００、４００及び５００は、例えば、表示部１３０を有しなくてもよい。
【符号の説明】
【０１７０】
１、２  ネットワークシステム
１３ａ、１３ｂ  中吊り広告
２０  吊り革
２１  非接触通信装置
２７  アンテナ
２８  通信回路
２９  電力供給部
３０  携帯端末装置
４０  配信サーバ
５０  車両
６０  吊り革
６５  デジタル広告媒体
７０  中吊りデジタル広告
８０  コンテンツ表示制御装置
８１  ＩＦ部
８２  入力部
８３  表示部
８４  記憶部
８４ａ  コンテンツ情報記憶部
８５  制御部
８５ａ  表示制御部
８５ｂ  更新部
９０  吊り革
９６ａ  第１ケース
９６ｂ  第２ケース
１００、２００、３００、４００、５００  転送サーバ
１１０  ＩＦ部
１２０  入力部
１３０  表示部
１４０、２４０、３４０、４４０  記憶部
１４１、３４１  所在情報記憶部
１５０、２５０、３５０、４５０、５５０  制御部
１５１  受信部
１５２、２５２、３５２  アクセス制御部
２４２  アクセス履歴記憶部
２４３  利用者情報記憶部
２４４  位置情報記憶部
２４５  アクセス数記憶部
２５３  計数部
３４６  優先情報記憶部
４４７  傾向情報記憶部
４５４  推定部
５５５  更新部
【図１】
2012141786.tif 000003
【図２】
2012141786.tif 000004
【図３】
2012141786.tif 000005
【図４】
2012141786.tif 000006
【図５】
2012141786.tif 000007
【図６】
2012141786.tif 000008
【図７】
2012141786.tif 000009
【図８】
2012141786.tif 000010
【図９】
2012141786.tif 000011
【図１０】
2012141786.tif 000012
【図１１】
2012141786.tif 000013
【図１２】
2012141786.tif 000014
【図１３】
2012141786.tif 000015
【図１４】
2012141786.tif 000016
【図１５】
2012141786.tif 000017
【図１６】
2012141786.tif 000018
【図１７】
2012141786.tif 000019
【図１８】
2012141786.tif 000020
【図１９】
2012141786.tif 000021
【図２０】
2012141786.tif 000022
【図２１】
2012141786.tif 000023
【図２２】
2012141786.tif 000024
【図２３】
2012141786.tif 000025
【図２４】
2012141786.tif 000026
【図２５】
2012141786.tif 000027
【図２６】
2012141786.tif 000028
【図２７】
2012141786.tif 000029
【図２８】
2012141786.tif 000030